(57)【要約】  弁座１を有する弁側ハウジング２とモータ３を備えたモータ側ハウジング４および給電部を有する給電側ハウジング５を一体に組み付けた弁装置において、前記弁座１に当接する弁７を備えた弁軸８を前記給電側ハウジング内まで延長させ、前記給電側ハウジングに至るまでの途中に前記弁軸８の回り止め手段９を設け、前記モータ３の回転子３５の中心穴３５ａを貫通する弁軸部に該中心穴面に形成されたネジ１０と羅合するネジ部１１を設け、前記給電側ハウジング５内に弁位置検出センサを設けたことを特徴とする。
2009084131.tif 000002
【特許請求の範囲】
【請求項１】
弁座を有する弁側ハウジングとモータを備えたモータ側ハウジングおよび給電部を有する給電側ハウジングを一体に組み付けた弁装置において、前記弁座に当接する弁を備えた弁軸を前記給電側ハウジング内まで延長させ、前記給電側ハウジングに至るまでの途中に前記弁軸の回り止め手段を設け、前記モータの回転子の中心穴を貫通する弁軸部に該中心穴面に形成されたネジと羅合するネジ部を設け、前記給電側ハウジング内に弁位置検出センサを設けたことを特徴とする弁装置。
【請求項２】
回り止め手段は、弁軸の周面に軸線方向に略等間隔に平行して設けられた溝に係合する突起を内周面に等間隔に設け、外周部に弁側ハウジングとモータ側ハウジングとの間に組み付けられるボスを有することを特徴とする請求項１記載の弁装置。
【請求項３】
モータの回転子は、一部を突出させてインサート固定した金属パイプの突出部を軸受けに固定し、この軸受けをモータ側ハウジングに樹脂インサート固定したことを特徴とする請求項１記載の弁装置。
【発明の詳細な説明】
【技術分野】
【０００１】
この発明は、例えば、排気ガスの一部を吸気側に戻す排気ガス帰還通路に設け、その排気ガスの帰還量を制御するＥＧＲ（Ｅｘｈａｕｓｔ  Ｇａｓ  Ｒｅｃｉｒｃｕｌａｔｉｏｎ）のように、弁座を有する弁側ハウジングとモータを備えたモータ側ハウジングおよび給電部を有する給電側ハウジングを一体に組み付けた弁装置に関するものである。
【背景技術】
【０００２】
従来のこの種の弁装置は、モータ回転子の回転によってモータ軸を軸線方向に移動させて該モータ軸の下端を弁軸の上端に当接させ、引き続くモータ軸の移動に伴って弁を弁座から引き離す構成である。このように従来の弁装置は、モータ軸と弁軸は別体構成であり、閉弁時に弁が弁座に衝突する衝撃を、モータ軸が弁軸から離れ、モータストッパまでのクリアランスを回転子の慣性力で動作している間に、低減していた。【０００３】
また、特許文献１に示されるように、モータ軸と弁軸を一体とした弁装置があるが、この弁装置は弁全閉時に回転子の回転を規制するために、雄ネジと雌ネジの両側に隙間を設けたものである。【０００４】
【特許文献１】特許第３７１９９１５号公報
【０００５】
しかしながら、従来のモータ軸と弁軸が別体構成では、閉弁アンダーシュート時やイニシャライズ（初期位置学習動作）時、弁軸固着時にモータ軸と弁軸が離れ、弁位置とこの弁位置を検出したセンサ出力との間に誤差を生じる。その結果、エンジン上で弁位置を正確にモニタできない状況が発生するという問題があった。
また、特許文献１には弁軸を介して弁位置を検出することについては記載されていない。【０００６】
この発明は上記のような問題を解消するためになされたもので、弁位置の検出精度を向上させるとともに、弁全閉時に生ずる予圧対策を不要とした弁装置を提供することを目的とする。
【発明の開示】
【０００７】
この発明に係る弁装置は、弁座を有する弁側ハウジングとモータを備えたモータ側ハウジングおよび給電部を有する給電側ハウジングを一体に組み付けた弁装置において、前記弁座に当接する弁を備えた弁軸を前記給電側ハウジング内まで延長させ、前記給電側ハウジングに至るまでの途中に前記弁軸の回り止め手段を設け、前記モータの回転子の中心穴を貫通する弁軸部に該中心穴面に形成されたネジと羅合するネジ部を設け、前記給電側ハウジング内に弁位置検出センサを設けたものである。
【０００８】
この発明は、弁軸をモータの回転子を貫通させてセンサ位置まで延長させたので、弁位置の検出を精度よく行うことができる。
【図面の簡単な説明】
【０００９】
【図１】実施の形態を示す弁装置の弁の閉じ状態図である。
【図２】回り止め手段を示す平面図である。
【発明を実施するための最良の形態】
【００１０】
以下、この発明をより詳細に説明するために、この発明を実施するための最良の形態について添付した図に従って説明する。
実施の形態１．
図面は、この発明の実施の形態による弁装置の構成を示す縦断面図であり、図１は弁の閉じ状態図、図２は回り止め手段を示す平面図である。図において、弁装置は、吸入路Ａと排出路Ｂとの境界部に弁座１を有する弁側ハウジング２とモータ３を備えたモータ側ハウジング４および給電部（図示せず）を有する給電側ハウジング５を一体に組み付けた構成である。【００１１】
モータ３はモータ側ハウジング４と一体の固定子鉄心３１と該固定子の両端部にボビン３２を介して巻き付けたコイル３３および固定子鉄心３１の中心に外周面に永久磁石３４を備え回転自在に設けられた回転子３５とで構成されている。そして、回転子３５はその下端中央部に一部を突出させて組み付けインサート固定した金属パイプ３６を軸受けとしてのベアリング６の内輪６ａ内に圧入固定し、このベアリング６の外周をモータ側ハウジング４に樹脂インサートにより固定している。【００１２】
前記弁座１に当接する弁７を備えた弁軸８は前記給電側ハウジング５内まで延長されており、前記モータ３の回転子３５の中心穴３５ａを貫通する軸部分には、中心穴面に形成されたネジ部１０と羅合するネジ部１１が設けられ、前記給電側ハウジング５内には弁軸を検出することにより弁位置を検出する弁位置検出センサ（図示せず）が設けられている。なお、弁７は弁軸８の下端に圧入した後に該下端を抜け止め構造としてハイスピン止めを施している。【００１３】
また、給電側ハウジング５に至る途中に弁軸８の回り止め手段９が設けられている。この回り止め手段９は、図２に示すように弁軸８の周面に軸線方向に略等間隔に平行して設けられた溝８ａに係合する突起９ａを内周面に等間隔に有し、外周部に弁側ハウジング２とモータ側ハウジング４との間に組み付けられるボス９ｂを有する。また、ボス９ｂの周縁の一部には位置決め用の切り欠き９ｃが設けられており、この切り欠き９ｃにモータ側ハウジング４の凸部３ａが係合するように組み付ける。弁軸８には溝８ａ下端の段差部８ｂを利用してバネ受け１２が設けられ、このバネ受け１２と弁側ハウジング２内の凹部２ａとの間に弁軸８に閉弁方向の付勢力を与えるバネ１３が設けられている。【００１４】
次に動作について説明する。給電側ハウジング５内の給電回路（図示せず）を介して外部からの信号に基づいてコイル３３に通電すると、この通電により発生する磁界が回転子３５の永久磁石３４に作用して該回転子が回転する。この回転子３５の回転によって、弁軸８にはネジ部１０と羅合するネジ部１１によって回転力が加えられるが、弁軸８の周面の溝８ａに回り止め手段９の突起９ａが係合しているため、弁軸８は回転することなく、軸線の矢印方向に移動する。このため、弁軸８の下端に取付けられた弁７は斜線位置に移動して開弁し吸入路Ａと排出路Ｂとを連通させる。【００１５】
また、上記の弁７が開いている状態において、コイル３３に対する給電方向が反転すると、回転子３５の回転は上記とは反対になり、弁軸８は上記矢印とは反対の方向に移動して、弁７は弁座１に当接して閉弁する。弁軸８は弁７が閉じた位置で停止するので、その停止位置をセンサで検出することができ、弁７の位置を正確に検出することができる。また、この当接時に回転子３５は弁７側に引き付けられる。このため、従来構成では回転子３５に予圧スプリングを作用させているが、回転子３５が引き付けられる力により、回転子３５は予圧スプリングを押し潰し、破損させるリスクがあった。【００１６】
そこで、この発明では、回転子３５にインサート固定した金属パイプ３６をベアリング６の内輪６ａ内に圧入固定し、このベアリング６をモータ側ハウジング４に樹脂インサートにより固定しているもので、この構成により、ベアリング６を軸方向に固定することができる。これによって従来必要としていた予圧スプリングを廃止できる。また、回転子３５の内径とベアリング６との同軸精度を向上させることができる。【００１７】
また、弁７が開かれている開弁状態においては、弁軸８の移動に伴い、バネ受け１２でバネ１３を圧縮するので、そのバネ１３の復元力によってバネ受け１２の耐震性を確保することができる。そして、給電線の断線等によってコイル３３に通電されなくなると、バネ１３の付勢力によって弁軸８を矢印と反対の軸線方向に移動させて、弁７を弁座１に当接させる。このとき、弁軸８の軸線方向の移動時、ネジ部１０と羅合するネジ部１１によって回転子３５は開弁時とは反対方向に回転する。【００１８】
以上にように、この実施の形態によれば、一本の弁軸でモータ軸と弁軸との機能を持たせたことにより、弁軸の先端に取付けた弁位置に対する軸方向のガタツキ、動き（ずれ）を抑えることができ、給電側ハウジングのセンサによる弁７の検出精度が向上する。【００１９】
また、弁側ハウジング２とモータ側ハウジング４とを回り止め手段９のボス９ｂを介在させて嵌めあい組み付けとしたことにより、組み付けずれに対する精度向上を図ることができる。また、モータ側ハウジング４に設けられたモータ３と弁側ハウジング２の組み付け軸ずれを押さえることができる。これにより、一本の弁軸８の傾きによる回転子３５のネジ部１０への偏荷重を抑え、バルブ動作時の回転子３５のネジ部１０の偏磨耗を抑えることができる。
【産業上の利用可能性】
【００２０】
以上のように、この発明に係る弁装置は、弁軸をモータの回転子を貫通させてセンサ位置まで延長させるように構成したので、弁位置の検出を精度よく行うことができ、ＥＧＲ弁装置などに用いるのに適している。
【図１】
2009084131.tif 000003
【図２】
2009084131.tif 000004
【国際調査報告】
2009084131.tif 000005
2009084131.tif 000006